(57)【特許請求の範囲】
【請求項１】
ブラケットに突出して形成され、内面に軸受を嵌着すると共に外面にステータを接着固定する軸受支持筒と、前記軸受に回転軸を枢着すると共に前記ステータと相対向する位置に適宜間隔を介してロータマグネットを配置したロータとを有するスピンドルモータにおいて、前記軸受支持筒と前記ステータとの間に補助円筒体を介設し、該補助円筒体の前記軸受支持筒と当接する部分の外周面には前記ステータと当接しない間隙部が形成され、前記補助円筒部の前記ステータと当接する内周面には前記軸受支持筒と当接しない間隙部が形成されていることを特徴とするスピンドルモータ。
【請求項２】
前記補助円筒体は、前記軸受支持筒の段付面に下面を当接して前記軸受支持筒に保持されるものである請求項１に記載のスピンドルモータ。
【請求項３】
前記補助円筒体の下面には切り欠き部が部分的に形成され、該切り欠き部のエッジが前記段付面に圧接するものである請求項２に記載のスピンドルモータ。
【請求項４】
前記補助円筒体と前記軸受支持筒との間の前記間隙部内には、金属又は樹脂の充填材が充填されるものである請求項１乃至３のいずれかに記載のスピンドルモータ。
【発明の詳細な説明】
【０００１】
【発明の属する技術分野】
本発明は、スピンドルモータに係り、特に、ステータを固着する接着剤の加熱硬化による軸受支持筒の変形を防止して安定したロータ回転を維持するに好適なスピンドルモータに関する。
【０００２】
【従来の技術】
図６は、円盤状磁気ディスクを保持して回転駆動する従来のスピンドルモータ１００Ａの概要構造を示す。ブラケット１１の中央部には軸受支持筒１２Ａが突出して一体的に形成される。この軸受支持筒１２Ａの内面には上下の軸受１５，１６が嵌着され、外面１３にはステータ１７が接着剤６Ａを介して固着される。なお、軸受支持筒１２Ａの外面１３は部分的にステータ１７を嵌着する構造からなり、軸受支持筒１２Ａの上方側の外面１３とステータ１７との間には間隙部１４が形成される。また、ステータ１７は軸受支持筒１２Ａの段付面１０Ａ上にその下面を当接して保持される。
【０００３】
一方、ロータ１８はその中心の回転軸１９を上下の軸受１５，１６に枢着すると共に、ステータ１７と相対向する内面にロータマグネット２０を適宜間隙を介して配置するものからなり、その外面には円盤状磁気ディスク２１が保持される。軸受支持筒１２Ａの下面開口はキャップ２２により閉塞されている。このような構成のスピンドルモータでは、ステータ１７のコイルへの通電により、ステータ１７とロータマグネット１９との間の相互磁気作用によりロータ１８および円盤状磁気ディスク２０が回転する。
【０００４】
【発明が解決しようとする課題】
前記したように軸受支持筒１２Ａにはステータ１７が接着剤６Ａにより固着されるが、この接着剤６Ａを塗布してステータ１７を嵌合した際に間隙部１４内に接着剤６Ａが毛細管現象等により流入する。このため接着剤の加熱硬化時において間隙部１４内の接着剤６Ａが硬化、収縮することにより軸受支持筒１２Ａの上部側に残留応力が発生し、軸受支持筒１２Ａを変形させその真円度を低下させる。このため、軸受支持筒１２Ａ内の軸受１５に変形力が作用し、ロータ１８が安定回転できない問題点が生ずる。なお、間隙部１４を設けない場合には接着剤６Ａの前記流入はないが、その加熱硬化時の収縮力を吸収することができず、軸受支持筒１２Ａ側を更に大きく変形させる問題点がある。また、逆に間隙部１４を大きくすると接着剤６Ａの流入はある程度防止されるが、軸受支持筒１２Ａの上部側の肉厚が小さくなり、強度不足となる問題点がある。
【０００５】
本発明は、以上の問題点を解決するもので、軸受支持筒の変形を防止し、ロータの安定回転を図ると共に振動や騒音の発生を防止するスピンドルモータを提供することを目的とする。
【０００６】
【課題を解決するための手段】
本発明は、以上の目的を達成するために、ブラケットに突出して形成され、内面に軸受を嵌着すると共に外面にステータを接着固定する軸受支持筒と、前記軸受に回転軸を枢着すると共に前記ステータと相対向する位置に適宜間隔を介してロータマグネットを配置したロータとを有するスピンドルモータにおいて、前記軸受支持筒と前記ステータとの間に補助円筒体を介設し、該補助円筒体の前記軸受支持筒と当接する部分の外周面には前記ステータと当接しない間隙部が形成され、前記補助円筒部の前記ステータと当接する内周面には前記軸受支持筒と当接しない間隙部が形成されているスピンドルモータを構成するものである。更に具体的に、前記補助円筒体は、前記軸受支持筒の段付面に下面を当接して前記軸受支持筒に保持されるものであり、前記補助円筒体の下面には切り欠き部が部分的に形成され、該切り欠き部のエッジが段付面に圧接して滑り止め効果が生ずることを特徴とする。また、前記補助円筒体と前記軸受支持筒との間の前記間隙部内には、金属又は樹脂の充填材が充填されることを特徴とするものである。
【０００７】
軸受支持筒とステータとの間にクッション材として機能する補助円筒体を介設する。補助円筒体には間隙部が形成されているため接着剤の加熱硬化時には補助円筒体がクッション材として機能し、軸受支持筒を変形させない。また、回転時の磁気作用によって生ずる振動も補助円筒体により吸収される騒音発生が防止される。なお、補助円筒体は軸受支持筒に不動に固定される。一方、軸受支持筒と補助円筒体との間の間隙部に金属又は樹脂を充填することにより補助円筒体の剛性を確保することができ、補助円筒体の剛性低下による不具合の発生を防止することができる。
【０００８】
【発明の実施の形態】
以下、本発明のスピンドルモータ１００の実施の形態を図面を参照して詳述する。図１は本発明に係るスピンドルモータの概要構造を示す軸断面図、図２は補助円筒体およびその固定方法を示す軸断面図、図３は補助円筒体の切り欠き部を示す底面図、図４は図３のＡ−Ａ線断面図である。
【０００９】
図１に示すように、ブラケット１１と一体構造の軸受支持筒１２とこの外周に固定されるステータ１７との間には補助円筒体１が介設される。なお、軸受支持筒１２の内面に嵌着される上下の軸受１５，１６にはロータ１８の回転軸１９が枢支される。また、ロータ１８の内面にはロータマグネット２０が設けられ、その外面には円盤状磁気ディスク２１が保持される。
【００１０】
図１および図２に示すように、補助円筒体１は外面２および内面３を有する中空円筒体状部材からなる。外面２にはステータ１７が嵌着される外周面２ｂとその上方に縮径された縮径面２ａとが形成される。また、内面３には軸受支持筒１２の外面に嵌着される嵌着面３ｂと拡径された拡径面３ａが形成され、嵌着面３ｂが縮径面２ａの一部に対応し、外周面２ｂが拡径面３ａの一部に対応する。なお、拡径面３ａは補助円筒体１の下面に開口する。また、軸受支持筒１２には補助円筒体１を保持する段付面１０が形成される。
【００１１】
以上の構造の補助円筒体１を図１に示すようにステータ１７と軸受支持筒１２との間に介設するとステータ１７と外周面２ｂが当接し、縮径面２ａとステータ１７との間には間隙部５が形成され、軸受支持筒１２の外周と嵌着面３ｂが当接すると拡径面３ａと軸受支持筒１２との間には間隙部４が形成される。
【００１２】
また、図２は、以上の構造の補助円筒体１を軸受支持筒１２に固定する１つの手段を示す。即ち、軸受支持筒１２の上方の外周縁の一部には折り曲げ部７が複数個等間隔に形成される。この折り曲げ部７を外方へ折り曲げることにより補助円筒体１の上面が押圧され、補助円筒体１は軸受支持筒１２の段付面１０と折り曲げ部７とによりカシメ固定される。
【００１３】
また、図３，図４に示すように補助円筒体１の下面の軸受支持筒１２の段付面１０と当接する部位には部分的に切り欠き部８が設けられている。補助円筒体１を軸受支持筒１２に嵌着し、折り曲げ部７によりカシメ固定すると切り欠き部８のエッジ８ａが段付面１０に圧接し、喰い込み勝手になる。これにより補助円筒体１は滑り止めされる。以上により補助円筒体１は軸受支持筒１２に不動に固着される。
【００１４】
以上の構造により、ステータ１７を接着剤６により補助円筒体１に固着する際に接着剤６の加熱硬化による間隙部５内に流入した接着剤６の硬化、収縮が生じても補助円筒体１の間隙部４の存在により補助円筒体１のみが変形し軸受支持筒１２の変形が防止される。即ち、補助円筒体１がクッション材として機能する。これにより、上方の軸受１５等の変形が防止されロータ１８は安定回転される。また、前記のように補助円筒体１はカシメや滑り止めにより軸受支持筒１２に固持されるため、以上のクッション機能が安定して保持される。
【００１５】
図Пは本発明のスピンドルモータの他の実施の形態を示す部分断面図である。この場合の補助円筒体１の形状は前記のものと同様であるが間隙部４内に充填物が介在する点が前例とは異なる。即ち、間隙部４内には金属又は樹脂の充填物９が充填される。間隙部４は前記したように接着剤６の加熱硬化によるクッション作用をするものであるが、この間隙部４があると補助円筒体１の剛性が不十分となる恐れがある。前記充填物はこの剛性不足を補完するものであり、適宜の剛性の前記充填物を充填することにより剛性の向上と前記のクッション機能との双方を保持させることができる。
【００１６】
補助円筒体１としては、以上の説明において材質を特に限定していないが、金属に限らず樹脂材でもよい。また、全体形状は軸受支持筒１２やステータ１７の形状に対応して適宜のものが設定される。また、折り曲げ部７や切り欠き部８の形状や数も図示のものに限定するものではない。
【００１７】
【発明の効果】
１）本発明の請求項１に記載のスピンドルモータによれば、補助円筒体を設けることにより軸受支持筒の変形が防止できロータが安定回転することができると共に、使用時にステータとロータマグネットとの間の磁気作用に起因するステータ等の振動が吸収され、ブラケット等への振動伝達を抑え騒音の発生を防止することができる。
２）本発明の請求項２および３に記載のスピンドルモータによれば、補助円筒体は軸受支持筒側に保持されると共に切り欠き部の形成により滑り止めされ、軸受支持筒に確実に固持される。
３）本発明の請求項４に記載のスピンドルモータによれば、補助円筒体の剛性の調整が可能になり、剛性保持とクッション性の調和を適宜行うことが可能になる。
【図面の簡単な説明】
【図１】本発明のスピンドルモータの実施の形態の概要構造を示す軸断面図。
【図２】図１における補助円筒体を示す軸断面図。
【図３】図１における補助円筒体の切り欠き部を示す一部の底面図。
【図４】図３のＡ−Ａ線断面図。
【図５】本発明のスピンドルモータの他の実施の形態を示す部分軸断面図。
【図６】従来のスピンドルモータの概要構造を示す軸断面図。
【符号の説明】
１      補助円筒体
３ａ    拡径面
３ｂ    嵌着面
４、５  間隙部
６      接着剤
８      切り欠き部
９      充填物
１０    段付面
１１    ブラケット
１２    軸受支持筒
１５    上方の軸受
１６    下方の軸受
１７    ステータ
１８    ロータ
１９    回転軸
２０    ロータマグネット
１００  スピンドルモータ
【図１】
0003802670.tif 000002
【図２】
0003802670.tif 000003
【図３】
0003802670.tif 000004
【図４】
0003802670.tif 000005
【図５】
0003802670.tif 000006
【図６】
0003802670.tif 000007